(57)【要約】      （修正有）【課題】ロール状製品を縦置きでの保管を、製品一個に対して、パレット一台を使用する専用パレットであって、搬送にも使用できる，ロール状製品の保管、搬送用パレットを提供する。【解決手段】パレット本体１の底部にキャスター２を設け、パレット本体中央に、ロール状製品の紙管に嵌入する紙管ホルダー３を突設した。【選択図】図３
2020037436.tif 000002
【特許請求の範囲】
【請求項１】
ロール状製品の保管、搬送用のパレットであって、
適宜な大きさを有する円形状のパレットを設け、
該パレットの底部にキャスターを設けると共に、
該パレットの表面中央に、ロール状製品の紙管に挿入する紙管ホルダーを突出して設けた
ことを特徴とするロール状製品の保管、搬送用パレット。
【請求項２】
前記紙管ホルダーは、紙管の内壁あるいは口端と、１又は２以上複数の接点を有する
ことを特徴とするロール状製品の保管、搬送用パレット。
【請求項３】
前記パレットの表面中央部に、ロール状製品の紙管を避けるための中央凹部を形成した
ことを特徴とする請求項１記載のロール状製品の保管、搬送用パレット。
【請求項４】
前記パレットの表面であって、裏面に設ける各キャスターが対応する位置にそれぞれ外周凹部を形成した
ことを特徴とする請求項１または３記載のロール状製品の保管、搬送用パレット。
【請求項５】
前記パレットの周囲部に、１または複数の連結部を設けた
ことを特徴とする請求項１または３または４記載のロール状製品の保管、搬送用パレット。
【請求項６】
前記パレットが、上面視で、円形状、多角形状、あるいは多角形と円弧を含んだ略円形状に設けた
ことを特徴とする請求項１または３または５記載のロール状製品の保管、搬送用パレット。
【請求項７】
前記紙管ホルダーが、上面視で、一文字形、十文字形、Ｙ字形、米字形、または中空の円錐状、三角錐状、四角錐状、あるいはテーパ状の筒状から選ばれた
ことを特徴とする請求項１または２記載のロール状製品の保管、搬送用パレット。
【発明の詳細な説明】
【技術分野】
【０００１】
この発明は、ロール状製品の保管、搬送用パレットに関し、特に、フィルム材や発泡シート材等のロール状に巻かれた製品を、工場内で縦置きにして保管、搬送する為の円形状の専用パレットである。
【背景技術】
【０００２】
従来、ロール状製品は、フィルム、紙等のシート材を心材に巻いて円柱状に形成されている商品であり、該ロール状製品の大きさの一例としては、径４００ｍｍ、あるいは８００ｍｍで、高さは、１２００ｍｍである。そして、前記心材は、紙管と呼ばれ該ロール状製品の両端面から僅かに突出して設けられている、そして、この紙管は、素材が樹脂製、金属製ものもあり、これらは支管とも呼ばれている。
【０００３】
先ず、工場内等でロール状製品を保管する場合には、従来通り、上面が矩形状のパレットに搭載した状態にしており、それに対して、ロール状製品の形状は円柱状であり、パレット上で保管する場合には多量のロス空間が発生するものであった。
【０００４】
さらに、ロール状製品を搬送する場合には、手で運ぶとなると、両手若しくは片手で抱えて運ばなければならず、また、複数本のロール状製品の移動は何往復もするため、移動の無駄が発生し極めて作業効率の悪いものであった。
【０００５】
前記ロール状製品の心材である紙管が、両側面からそれぞれ外方に突出して設けられていることが原因で、パレットを利用する保管や搬送が縦置きでの状態ではパレットには不安定であり搭載できず、保管も搬送も不可能であった。
【０００６】
これに対して、「ロール状物搬送用コンテナ」という技術は開示されているが、ロール状物（本願ではロール状製品）を水平状態（横置き）で搬送するコンテナは存在している。例えば、特許文献１のように。
【先行技術文献】
【特許文献】
【０００７】
【特許文献１】特許第４８８６０８２号公報
【発明の概要】
【発明が解決しようとする課題】
【０００８】
そこでこの発明は、ロール状製品を縦置きでの保管を、該製品一個に対して、パレット一台を使用する専用パレットであって、さらに、保管に使用するだけではなく、搬送にも使用できる，ロール状製品の保管、搬送用パレットを開発することにある。
【課題を解決するための手段】
【０００９】
この発明のロール状製品の保管、搬送用のパレットは、適宜な大きさを有する円形状のパレットを設け、該パレットの底部にキャスターを設けると共に、該パレット本体の表面中央に、ロール状製品の紙管に挿入する紙管ホルダーを突出して設けたことを特徴とする。
【００１０】
そして前記紙管ホルダーは、紙管の内壁あるいは口端と、１または２以上複数の接点を有することを特徴とする。
【００１１】
さらに、前記パレットの表面中央部に、ロール状製品の紙管を避けるための中央凹部を形成したことを特徴とする。
【００１２】
また、前記パレットの表面であって、裏面に設ける各キャスターが対応する位置にそれぞれ外周凹部を形成したことを特徴とする。
【００１３】
さらに、前記パレットの周囲部に、１または複数の連結部を設けたことを特徴とする。
【００１４】
そして、前記パレットが、上面視で、円形状、多角形状、あるいは多角形と円弧を含んだ略円形状に設けたことを特徴とする。
【００１５】
さらに、前記紙管ホルダーが、上面視で、一文字形、十文字形、Ｙ字形、米字形、または中空の円錐状、三角錐状、四角錐状、あるいはテーパ状の筒状から選ばれたことを特徴とする。
【発明の効果】
【００１６】
この発明によると、円形状のパレットに、ロール状製品一個を、縦置きして搭載するものであり、従来の矩形状のパレットに較べ、少ない搭載面積で済み、保管する際には、多量に保管でき、さらに、パレットが円形状であることにより、パレット同士をズラして並べることにより占有面積を少なく出来、またパレットの周面、あるいは周面を多角形に形成ことにより、ロール状製品をより多く保管できるとの効果を奏する。
【００１７】
そして、前記パレットに搭載したロール状製品を搬送する際には、該製品はパレットの中央に突設した紙管ホルダーで係止されており、移動中に、振動などでロール状製品がパレット上からズレたり落下するということがなく、安定した状態で楽に搬送できる。
【００１８】
また、パレット表面中央部にはロール状製品の紙管を避ける中央凹部を設けたことによりパレット表面と、ロール状製品の端部との間に不陸が生ぜず安定して搭載できる等の効果を奏する。
【００１９】
さらに、パレットの上面には各キャスターが対応する位置にそれぞれ、外周凹部を形成しており、これらの各外周凹部に、積み重ねる上部のパレットの各キャスターを載置することにより、安定よくパレットを段積みして保管することができ、場所を占めずに保管できる等の効果を奏する。
【００２０】
また、各パレットの周囲部には、簡単に装着・脱可能な連結部を設けており、これで連結すればパレット１個でも複数個でも、保管、搬送ができ、汎用性が高いとの効果を奏する。
【図面の簡単な説明】
【００２１】
【図１】この発明に使用するパレットの一実施例を示し、（Ａ）は、平面図であり、（Ｂ）は、（Ａ）中のａ−ａ断面図であり、（Ｃ）は、（Ａ）中のｂ−ｂ断面図である。
【図２】この発明に使用するパレットの一実施例を示し、（Ａ）は、底面図であり、（Ｂ）は、（Ａ）中のｃ部分の一部を切り欠いた断面図であり、（Ｃ）は、（Ａ）中のｄ部分の一部を切り欠いた断面図である。
【図３】この発明の一実施例を示す斜視図である。
【図４】この発明の使用状態を示す一部を切り欠いた斜視図である。
【図５】この発明に使用するパレットの他の実施例を示し、（Ａ）、（Ｂ）、（Ｃ）、はそれぞれ平面図である。
【図６】この発明に使用する紙管ホルダーの一実施例を示し、（Ａ）、（Ｂ）、（Ｃ）、（Ｄ）は、それぞれ斜視図である。
【図７】この発明に使用する紙管ホルダーの他の実施例を示し、（Ａ）、（Ｂ）、（Ｃ）、（Ｄ）は、それぞれ斜視図である。
【図８】この発明に使用するパレットの連結状態を示す平面図である。
【図９】この発明のパレットの段積み状態の一実施例を示す断面図である。
【図１０】従来例のパレットの並べ方を示し、（Ａ）は、パレット４個を２列に、（Ｂ）は、卍状に並べた状態の平面図である。
【図１１】従来例のパレットにロール状製品を載置した状態を示す平面図である。
【発明を実施するための形態】
【００２２】
以下、本発明について詳細に説明する。尚、この発明においては以下の記述に限定されるものではなく、この発明の要旨を逸脱しない範囲においては適宜変更可能である。
【実施例】
【００２３】
先ず、本願発明の一実施例を図面に基づいて説明すると、ロール状製品の搬送用のパレットであって、適宜な大きさを有する円形状のパレット（１）を設け、該パレットの底部にキャスター（２）を設け、該パレット（１）の表面中央に、ロール状製品（Ｘ）の紙管（Ｘａ）に挿入する紙管ホルダー（３）を突出して設けたことを特徴とするロール状製品の搬送用パレットから構成されるものである。
【００２４】
前記円形状のパレット（１）の大きさは、径が４００ｍｍ、８００ｍｍ等、ロール状製品（Ｘ）の径に即した大きさであり、またパレット（１）の形状は、図１では、円形状のものを示したが、図５に示すように上面視で、六角形状〔（図５（Ａ）参照〕、十角形〔（図５（Ｂ）参照〕等の多角形状、あるいは多角形と円弧を含んだ略円形状〔（図５（Ｃ）参照〕であってもよい。
【００２５】
前記パレット（１）の底面には、キャスター（２）を４個設けている。これらの各キャスター（２）の取付手段の一例としては、パレット本体（１）の表面の外周に設けた各外周凹部（４ｂ）にボルト等の固定具でそれぞれ固定している。なお、ボルトの頭がパレット本体（１）の表面から突出しないよう構成し、ロール製品（Ｘ）の両端面に傷がつかないよう配慮している。
【００２６】
また、パレット（１）の表面中央に中央凹部（４ａ）を設け、該中央凹部の底部周囲にはフランジ（４ｃ）を形成し、中央凹部の中央部にはセンター穴（５）を設けている。そして、前記フランジ（４ｃ）の上から紙管ホルダー（３）をボルト等の固定具で固定し、上方に突出するよう設けている。
【００２７】
また、パレット（１）を段積み状態に積み重ね保管する場合の前記紙管ホルダー（３）の一実施例は、円錐状〔図７（Ａ）に示した紙管ホルダー（３ａ）参照〕のほか、三角錐状〔（図７（Ｂ）に示した紙管ホルダー（３ｂ）参照〕、四角錐状〔（図７（Ｃ）に示した紙管ホルダー（３ｃ）参照〕、あるいは、上部に向けて細くなるテーパ状の円筒状〔（図７（Ｄ）に示した紙管ホルダー（３ｄ）参照〕であるが、本願は発明において、これらの形状に限定されることはない。
【００２８】
また、パレット（１）を並列状態で保管する場合の前記紙管ホルダー（３）の他の実施例は、それぞれ上面視で、「一文字」形〔図６（Ａ）に示した紙管ホルダー（３ｅ）参照〕、「十文字」形〔（図６（Ｂ）に示した紙管ホルダー（３ｆ）参照〕、「Ｙ字」形〔（図６（Ｃ）に示した紙管ホルダー（３ｇ）参照〕、そして、「米字」形〔図６Ｄに示した紙管ホルダー（３ｈ）参照〕である。これら、上端は、紙管（Ｘａ）に差込みが容易なように各角部を面取りしている。なお、本願発明において、これらの形状に限定されることはない。
【００２９】
このように、前記紙管ホルダー（３）の一実施例のように、中空状態の紙管ホルダー（３ａ〜３ｄ）のように、パレット（１）を段積みする場合のものと、前記紙管ホルダー（３）の他の実施例のように、紙管ホルダー（３ａ〜３ｄ）は、射出成型加工による紙管ホルダー（３）であり、パレット（１）の段済積みは無理なものである。また、前記紙管ホルダー（３）の直径寸法は、ロール状製品（Ｘ）の紙管（Ｘａ）の内径寸法よりやや小さく、高さ寸法は特に問わない。
【００３０】
なお、連結部（６）は、円形状のパレット（１）の周囲、６箇所に設けており、角度１２０°おきに３個の凸連結部（６ａ）と、該凸連結部より、６０°ずれた角度から、１２０°おきに３個の凹連結部（６ｂ）を設けたものであり、これら、凸連結部（６ａ）と、凹連結部（６ｂ）とはそれぞれ交互に設ける。
【００３１】
また、前記凸連結部（６ａ）の形状の一実施例を述べると、円形状のパレット（１）の周囲から外方に向け、適宜な幅を有する断面がＬ字状の突起物をいい、前記凹連結部（６ｂ）は、円形状のパレット（１）の周囲をコ字状に切り欠いた溝をいい、溝の幅は、前記凸連結部（６ａ）の幅に適合する寸法に形成したものである。
【００３２】
従って、連接する一方のパレット（１）の凹連結部（６ｂ）の溝に、他方の凸連結部（６ａ）の突起物を下方から差込み固定するものである。
【００３３】
さらに、パレット（１）には軸方向の対称な位置に長穴（７）をそれぞれ２個設けており、これらの長穴に手を差し込み、持ち運ぶ際便利なように構成している。また、２個の並設したパレット（１）同士を、紐等を通して縛り、連結しておくための長穴である。
【００３４】
また、パレット（１）の周囲形状を、多角形状に構成することにより、パレット（１）を立てかけて保管する際、パレット周囲の平らな面を地面に設置すれば、安定して立てかけておくことが出来、パレットの転動を防止できるので便利である。
【００３５】
さらに、ロール状製品（Ｘ）を水平に置いた（あるいは並べた）状態で、パレット（１）に設けた紙管ホルダー（３）に、ロール状製品（Ｘ）の紙管（Ｘａ）に差込み、パレット（１）と共に、ロール状製品（Ｘ）を起立させれば円形状のパレットと異なり、転動せず楽に装着できる。
【００３６】
また、ロール状製品（Ｘ）複数を、それぞれ搭載した各パレット（１）を集合して保管する際には、図５に示すように上記多角形状の各パレットで接すれば安定して固定できる。
【００３７】
なお、パレット本体の素材は、硬質樹脂製であるが、もちろん、他の素材、例えば、金属性、非鉄金属、木製等のいずれの素材で構成してもよい。
【産業上の利用可能性】
【００３８】
この発明のロール状製品の保管、搬送用パレットの技術を確立し、実施することにより産業上利用可能性があるものである。
【符号の説明】
【００３９】
１    パレット
２    キャスター
３    紙管ホルダー
４ａ  中央凹部
４ｂ  外周凹部
４ｃ  フランジ
５    センター穴
６    連結部
６ａ  凸連結部
６ｂ  凹連結部
Ｘ    ロール状製品
Ｘａ  紙管
【図１】
2020037436.tif 000003
【図２】
2020037436.tif 000004
【図３】
2020037436.tif 000005
【図４】
2020037436.tif 000006
【図５】
2020037436.tif 000007
【図６】
2020037436.tif 000008
【図７】
2020037436.tif 000009
【図８】
2020037436.tif 000010
【図９】
2020037436.tif 000011
【図１０】
2020037436.tif 000012
【図１１】
2020037436.tif 000013